(57)【要約】      （修正有）【課題】再起動が必要な重大エラーが発生した場合でも重大エラーと関連性の無い印刷ジョブについて再起動後に自動で印刷処理が実行可能な画像形成装置を提供すること。【解決手段】印刷ジョブが入力されたときに、印刷ジョブを複製して複製ジョブ記憶部１６ａに記憶させ、主電源のオフ／オン操作に伴う再起動が必要な重大エラーが発生したときに、複製ジョブ記憶部１６ａに記憶した複製印刷ジョブが重大エラーと関連性があるか否かを判別する。そして、重大エラーと判別した印刷ジョブを再開ジョブの対象から削除し、再起動後に再開対象となる重大エラーと関連性の無い印刷ジョブのみを実行する。【選択図】図２
2017030336.tif 000002
【特許請求の範囲】
【請求項１】
印刷ジョブ実行中に主電源のオフ／オンが必要な重大エラーが発生したときに、当該重大エラーが発生したことを報知する報知手段を備えた画像形成装置において、
前記印刷ジョブが入力されたときに、当該ジョブを複製した複製印刷ジョブを記憶する記憶手段と、
前記印刷ジョブ実行中に前記重大エラーが発生したときに、前記複製印刷ジョブにおける未実行のジョブが前記重大エラーの内容と関連性を有するか否かの判別を行う判別手段と、
前記判別手段により前記重大エラーの内容と関連性を有すると判別された前記記憶手段に記憶された印刷ジョブを削除する削除手段と、
前記重大エラーの報知後に、オフ状態とされた前記主電源が再度オン状態になったときに、前記記憶手段に記憶された印刷ジョブを読み出して印刷処理を再開するジョブ処理手段と、
を備えたことを特徴とする画像形成装置。
【請求項２】
前記削除手段が前記重大エラーと関連性を有する未実行の印刷ジョブを削除したことを通知する通知手段を有することを特徴とする請求項１記載の画像形成装置。
【発明の詳細な説明】
【技術分野】
【０００１】
本発明は、印刷媒体に画像形成を行う画像形成装置に関するものである。
【背景技術】
【０００２】
従来より、印刷媒体に所望の画像形成を行う画像形成装置において、印刷ジョブ実行中に重大エラー（例えば、プリンタヘッドの高温状態によるエラー、インク吐出不良によるエラー、装置内部の搬送モータの不具合によるエラー等）が発生した場合、エラーを解除するため主電源を一旦オフ状態とし、再び主電源をオンして装置を再起動させる必要がある。
【０００３】
しかしながら、実行中の印刷ジョブや未実行の印刷ジョブを含めた印刷ジョブは全てキャンセルされてしまうため、主電源をオフする前に処理中及び処理前の印刷ジョブを電源復帰後に再度設定する必要があり煩雑であった。
【０００４】
また、リモートシャットダウンやウイークリーシャットダウン等の電源オフ機能を働かせた場合に、未完了のジョブを退避させ、電源復帰後にジョブの継続処理を行う技術が下記特許文献１に記載されている。
【先行技術文献】
【特許文献】
【０００５】
【特許文献１】特開２０１３−１６９７８８号公報
【発明の概要】
【発明が解決しようとする課題】
【０００６】
しかし、この特許文献１に記載された技術は、電源オフ前のジョブの状態（ＲＩＰ中、印刷中ＲＩＰ中、印刷待ち中）によって電源復帰後の継続処理を判断するものであり、電源オフ前に深刻なエラーが生じていた場合、データの保存が間に合わない可能性がある。
【０００７】
また、すぐに電源復帰させて継続処理を行う場合、電源オフ前のエラーが解消しておらず、再度エラーで電源をオフにしなければならない事態を生じることになり、エラー原因と関係のないジョブまで印刷を待たなければならない不都合が発生する。
【０００８】
そこで、本発明は上記問題点に鑑みてなされたものであり、再起動が必要な重大エラーが発生して再起動後に印刷処理を再開したときに、重大エラーと関連性の無い印刷ジョブを再設定することなく実行することができる画像形成装置を提供することを目的とするものである。
【課題を解決するための手段】
【０００９】
上記した目的を達成するため、本発明に係る第１の態様は、印刷ジョブ実行中に主電源のオフ／オンが必要な重大エラーが発生したときに、当該重大エラーが発生したことを報知する報知手段を備えた画像形成装置において、
前記印刷ジョブが入力されたときに、当該ジョブを複製した複製印刷ジョブを記憶する記憶手段と、
前記印刷ジョブ実行中に前記重大エラーが発生したときに、前記複製印刷ジョブにおける未実行のジョブが前記重大エラーの内容と関連性を有するか否かの判別を行う判別手段と、
前記判別手段により前記重大エラーの内容と関連性を有すると判別された前記記憶手段に記憶された印刷ジョブを削除する削除手段と、
前記重大エラーの報知後に、オフ状態とされた前記主電源が再度オン状態になったときに、前記記憶手段に記憶された印刷ジョブを読み出して印刷処理を再開するジョブ処理手段と、
を備えたことを特徴とする、画像形成装置である。
【００１０】
本発明に係る第２の態様は、第１の態様に係る画像形成装置において、前記削除手段が前記重大エラーと関連性を有する未実行の印刷ジョブを削除したことを通知する通知手段を有することを特徴とする、画像形成装置である。
【発明の効果】
【００１１】
第１又は第２の態様に係る画像形成装置によれば、重大エラーが発生して主電源のオフ／オン操作による再起動がなされたとしても重大エラーと関係の無い印刷ジョブが消去されず、印刷処理を再開したときにユーザの手間を煩わせることなく自動で印刷ジョブを実行させることができる。また、重大エラーと関連性のある印刷ジョブを再開対象から除外しているため、仮に重大エラーが解消される前に印刷ジョブを再開したとしても、重大エラーを起因とする印刷ジョブによって印刷処理が再び停止することがなくなる。
【００１２】
また、第２の態様に係る画像形成装置によれば、重大エラーと関連性のある印刷ジョブが再開対象とならないように消去された場合にこの内容がユーザに通知されるため、ユーザは重大エラーと関連性のある印刷ジョブの場合のみ印刷ジョブを再送信すればよく、従来装置のように重大エラーが発生した都度、印刷ジョブを送信する必要がなくなる。
【図面の簡単な説明】
【００１３】
【図１】本発明に係る画像形成装置の構成を示した概略図である。
【図２】同装置の制御系の構成を示すブロック図である。
【図３】印刷ジョブを消去したことを通知する通知情報の表示例を示す図である。
【図４】エラー回避制御における関連ジョブ除外処理において重大エラーと関連性のある印刷ジョブを消去したときの処理動作例を示すフローチャートである。
【図５】重大エラー報知及び再起動促進表示の一例を示す図である。
【発明を実施するための形態】
【００１４】
以下、本発明を実施するための形態について、添付した図面を参照しながら詳細に説明する。この実施の形態によって本発明が限定されるものではなく、この形態に基づいて当業者等により考え得る実施可能な他の形態、実施例及び運用技術等は全て本発明の範疇に含まれるものとする。
【００１５】
なお、本明細書において、添付する各図を参照した以下の説明において、方向乃至位置を示すために上、下、左、右の語を使用した場合、これはユーザが各図を図示の通りに見た場合の上、下、左、右に一致する。
【００１６】
本発明の画像形成装置１が実行する印刷ジョブは、印刷に関する各種条件（印刷枚数、印刷データ（文字、画像）、片面／両面印刷、カラー設定（単色、多色）、出力倍率等）が設定された情報である。
この印刷ジョブは、ＰＣ（personal computer ）やサーバ等の外部端末で印刷条件が設定されたものを例えばインターネット（Internet）やイーサネット（登録商標）等の各種通信ネットワークを介して受信したり、紙媒体である原稿を画像読取手段（後述する「画像読取部１９」に相当）で読み取った原稿データに設定手段（後述する「設定表示部１８」に相当）で適宜印刷条件が設定されたものを用いる。
【００１７】
また、本明細書において、画像形成装置１で発生するエラーのうち、エラーを解除するため再起動に伴う主電源のオフ／オン操作（主電源をオン状態からオフ状態に切り替えた後、再び電源オン状態に切り替える操作）が必要なエラーのことを「重大エラー」として定義する。この重大エラーは、画像形成装置１の装置構成（接続されるオプション構成やネットワーク環境を含む）に対して設定されるものであり、選択し得る装置構成に対して予め特定されるものである。
【００１８】
重大エラーの具体例としては、印刷部１３に搭載されるラインヘッドの吐出不良、給紙部１１の搬送ローラを駆動する駆動モータの故障、反転部１５の搬送ローラを駆動する駆動モータの故障、本装置と接続される図示しない後処理装置（例えばステープル処理部やパンチ処理部を備えた装置）の搬送先を切り替える切替手段を駆動する駆動モータの故障、画像読取部１９のスキャナ機能の不具合等がある。
【００１９】
［装置構成について］
図１又は図２に示すように、本実施形態に係る画像形成装置１は、印刷媒体となる用紙Ｐに対して所定の画像を形成する装置であり、給紙部１１と、搬送部１２と、印刷部１３と、排紙部１４と、反転部１５と、記憶部１６と、制御部１７と、設定表示部１８と、画像読取部１９とを備えている。
【００２０】
また、画像形成装置１は、主電源となる外部電源（商用電源）から供給される電源の供給状態をオフ状態又はオン状態に切り替えるためのスイッチである供給切替部２０を備えている。供給切替部２０は、装置起動時や重大エラーが発生した際に所定操作される。なお、画像形成装置１とネットワーク接続されるＰＣ等の端末装置については図示を省略する。
【００２１】
図１に示すように、画像形成装置１の筐体内には、印刷媒体となる用紙Ｐの搬送経路として循環経路Ｒ１が設定されている。この循環経路Ｒ１は、画像形成された用紙Ｐを排紙部１４まで搬送する通常経路Ｒ２と、表面に画像形成された用紙Ｐにおける搬送方向の前後を入れ換えた後、再び通常経路Ｒ２に戻すための反転経路Ｒ３から構成される閉ループ状の循環路である。用紙Ｐは、この循環経路Ｒ１を図示反時計回り方向に搬送される途中で画像形成され、必要に応じて反転経路Ｒ３を通過してスイッチバックされる。
【００２２】
また、循環経路Ｒ１における印刷部１３の上流側は、給紙部１１との間を接続する給紙経路Ｒ４が接続されている。さらに、循環経路Ｒ１における印刷部１３の下流側は、図示しない後処理装置と接続されている。
【００２３】
給紙部１１は、搬送経路の最も上流側に配置され、印刷部１３に用紙Ｐを給送する。給紙部１１は、一部が筐体の外部に露出して設置される外部給紙台１１ａと、外部給紙台１１ａに積載された用紙Ｐを１枚ずつピックアップして印刷部１３に給送する外部給紙ローラ１１ｂと、装置筐体内に配置され異なるサイズの用紙Ｐがサイズ毎に積載される複数の内部給紙台１１ｃと、内部給紙台１１ｃに積載された用紙Ｐのうち指定された用紙Ｐを１枚ずつピックアップして印刷部１３に給送する複数の内部給紙ローラ１１ｄとを備えている。なお、外部給紙ローラ１１ｂと内部給紙ローラ１１ｄは、それぞれ図示しないモータにより駆動される。
【００２４】
搬送部１２は、循環経路Ｒ１内で用紙Ｐを所定方向に搬送する。搬送部１２は、給紙経路Ｒ４と反転経路Ｒ３との合流地点近傍に配置され給紙部１１又は反転部１５から搬送されてきた用紙Ｐを一旦止めた後に所定のタイミングで印刷部１３に向けて搬送するレジストローラ１２ａと、レジストローラ１２ａから搬送されてきた用紙Ｐをベルト上に吸着保持して搬送するベルト搬送部１２ｂと、複数対の搬送ローラで構成されベルト搬送部１２ｂにより搬送されてきた用紙Ｐを通常経路Ｒ２に沿って右方向から左方向へとＵターンするように搬送する上面搬送ローラ１２ｃとを備えている。なお、レジストローラ１２ａとベルト搬送部１２ｂ及び上面搬送ローラ１２ｃは、それぞれ図示しないモータにより駆動される。
【００２５】
印刷部１３は、用紙Ｐの搬送方向と略直交する方向に複数のノズルが配列されたラインタイプの４色のインクジェットヘッドＫ（ブラック），Ｃ（シアン），Ｍ（マゼンダ），Ｙ（イエロー）がベルト搬送部１２ｂの上方に配置された構成であり、ベルト搬送部１２ｂにより搬送される用紙Ｐの表面にインクジェットヘッドのノズル（図示せず）から所定タイミングでインクを吐出して画像を印刷する。
【００２６】
排紙部１４は、通常経路Ｒ２の下流端と接続され、印刷済みの用紙Ｐを排紙する。排紙部１４は、排紙された用紙Ｐが積載する排紙台１４ａと、上面搬送ローラ１２ｃにより搬送されてきた用紙Ｐを搬送して排紙台１４ａへ排紙する排紙ローラ１４ｂとを備えている。
【００２７】
反転部１５は、反転経路Ｒ３内に設けられ、通常経路Ｒ２から搬送された片面印刷された用紙Ｐの表裏を反転した後、反転経路Ｒ３を搬送しながら搬送方向の前後を入れ換える方向反転処理をしてレジストローラ１２ａまで搬送する。反転部１５は、上面搬送ローラ１２ｃにより搬送されてきた用紙Ｐをスイッチバック部１５ｂに一時的に搬入した後に搬出して、再給紙ローラ１５ｃへと搬送する反転ローラ１５ａと、用紙Ｐを一時的に搬入するための空間であるスイッチバック部１５ｂと、反転ローラ１５ａにより搬送されてきた用紙Ｐをレジストローラ１２ａへ搬送する再給紙ローラ１５ｃと、上面搬送ローラ１２ｃから搬送されてきた用紙Ｐを反転ローラ１５ａへとガイドするとともに反転ローラ１５ａによりスイッチバック部１５ｂから搬出される用紙Ｐを再給紙ローラ１５ｃへとガイドする切替ゲート１５ｄとを備えている。なお、反転ローラ１５ａと再給紙ローラ１５ｃは、それぞれ図示しないモータにより駆動される。
【００２８】
記憶部１６は、例えばフラッシュメモリやＨＤＤ（Hard Disk Drive ）等で構成されており、画像形成装置１の各部を駆動するのに必要な各種情報（コンピュータプログラムやアプリケーションソフトウェア等）に加えて、発生したエラーが重大エラーであるか否かをエラーコードの種別により判断するための重大エラー関連情報（重大エラーコード表）を記憶している。重大エラー関連情報には、重大エラーとされるエラーコードと、印刷ジョブの印刷条件とが関連性を有するか否かの情報も含まれている。
【００２９】
また、記憶部１６は、印刷ジョブが入力されたときに、当該ジョブを複製した複製印刷ジョブを、画像形成装置１の主電源のオフ／オン状態によらずに記憶する複製ジョブ記憶部（請求項の「記憶手段」に相当）１６ａを備えている。
【００３０】
通常、記憶部１６に記憶された印刷ジョブは、ジョブ終了時や重大エラーが発生して主電源をオフ状態にしたとき（すなわち、供給切替部２０をオフ操作したとき）に自動で消去されるようにプログラミングされているため、〔発明が解決しようとする課題〕の項で記載のように、重大エラーが発生した直後に主電源がオフ状態になると未実行の印刷ジョブが消去されてしまうという問題が生じる。
【００３１】
そこで、このような事態を回避するため、本発明の画像形成装置１では、印刷ジョブが入力されるタイミング（つまり、入力された印刷ジョブを制御部１７が記憶部１６に記憶させるタイミング）で印刷ジョブが複製され、この複製された印刷ジョブ（複製印刷ジョブ）が複製ジョブ記憶部１６ａに記憶されるようになっている。従って、一度入力された印刷ジョブは、電源オフ状態となっても複製ジョブ記憶部１６ａから消去されることがない。
【００３２】
複製ジョブ記憶部１６ａの構成として、少なくとも画像形成装置１に供給される主電源がオフ状態となった場合でも複製印刷ジョブが消去されない構成であればよい。
【００３３】
よって、上述したフラッシュメモリのような不揮発性メモリを利用する他、ＲＡＭ（Random Access Memory）のような電源断時に記憶情報が消去される揮発性メモリにバックアップ電源を接続して常時電源供給状態が維持されるような構成にしてもよい。また、記憶部１６の全記憶領域のうち、所定領域だけを論理的に分割して複製ジョブ記憶部１６ａとして機能させるように設定してもよい。
【００３４】
なお、印刷ジョブ実行中に重大エラーが発生しなかった場合、複製ジョブ記憶部１６ａに記憶される複製印刷ジョブは、制御部１７によって印刷ジョブ実行後に消去されるようにプログラミングされている。つまり、複製ジョブ記憶部１６ａに記憶される複製印刷ジョブは、実行中の印刷ジョブを除いて全て未実行の印刷ジョブとなる。
【００３５】
また、印刷ジョブ実行中に重大エラーが発生したときは、供給切替部２０による再起動後、複製ジョブ記憶部１６ａに記憶された未実行の印刷ジョブが制御部１７の処理によって記憶部１６に移行されるようになっている。
【００３６】
制御部１７は、例えばＣＰＵ（Central Processing Unit ）等のプロセッサで構成され、記憶部１６に記憶されるコンピュータプログラムや各種アプリケーションソフトウェアを読み込んでプログラム処理することで、印刷ジョブに基づく印刷処理や印刷ジョブ実行中に発生したエラー通知制御の他、画像形成装置１全体の制御処理及び各種処理に必要な演算処理を実行する。
【００３７】
なお、制御部１７は、図示しないインターフェース部を内蔵しており、通信ネットワーク経由で図示しない外部端末から印刷ジョブを受信し、受信した印刷ジョブを記憶部１６に記憶させる。
【００３８】
また、制御部１７は、重大エラーが発生して装置が再起動され、印刷処理が再開したときに、発生した重大エラーと関連性の無い印刷ジョブについてのみ実行させる「エラー回避制御」を行うため、ジョブ複製手段１７ａと、エラー特定手段１７ｂと、判別手段１７ｃと、削除処理手段１７ｄ（請求項における「削除手段」に相当）と、ジョブ処理手段１７ｅと、通知手段１７ｆとを備えている。
【００３９】
エラー回避制御では、入力した印刷ジョブを複製して退避保存（ミラーリング）させる「ジョブ退避処理」と、エラーが発生した際に発生したエラーを特定する「重大エラー特定処理」と、未実行の印刷ジョブと重大エラーとの関連性の有無を判別する「エラー関連性判別処理」と、重大エラーと関連性のある未実行の印刷ジョブを電源再投入後に再開対象から除外する「関連ジョブ除外処理」と、再開対象から削除された印刷ジョブに応じた通知を行う「通知処理」と、再起動後に重大エラーと関連性の無い印刷ジョブの印刷処理を再開する「印刷再開処理」との６つの処理を行う。
【００４０】
＜ジョブ退避処理＞
ジョブ退避処理は、ジョブ複製手段１７ａによって行われる処理であり、印刷ジョブが入力されたときにこの印刷ジョブを複製し、複製した印刷ジョブ（複製印刷ジョブ）を複製ジョブ記憶部１６ａに記憶させる。
この処理により、入力された印刷ジョブが記憶部１６と複製ジョブ記憶部１６ａの２箇所に保存されるため、主電源がオフ状態となったとしても複製ジョブ記憶部１６ａに退避された未実行の印刷ジョブが残り、印刷ジョブが消去されない。また、ジョブ複製手段１７ａは、複製ジョブ記憶部１６ａに記憶される複製印刷ジョブのうち、実行された印刷ジョブに対応する複製印刷ジョブを消去する。
【００４１】
＜重大エラー特定処理＞
重大エラー特定処理は、エラー特定手段１７ｂによって行われる処理であり、エラーが発生したときに、このエラー内容（エラーコード）と記憶部１６に記憶された重大エラー関連情報（重大エラーコード表）とを照合して重大エラーであるか否かを判別するとともに、発生した重大エラーの特定を行う。
この処理により、発生したエラーが重大エラーであると判別されると、その重大エラーのエラー内容を示すエラー識別情報が判別手段１７ｃに出力される。
【００４２】
＜エラー関連性判別処理＞
関連性判別処理は、判別手段１７ｃによって行われる処理であり、エラー特定手段１７ｂから出力されたエラー識別情報と、複製ジョブ記憶部１６ａに記憶された未実行の印刷ジョブの印刷条件とを照合し、未実行の印刷ジョブの印刷条件が重大エラーと関連性があるか否かをジョブ毎に判別する。
この処理により、未実行の印刷ジョブのうち、発生した重大エラーとの関連性のある印刷ジョブと関連性の無い印刷ジョブとを区別することができる。
【００４３】
＜関連ジョブ削除処理＞
関連ジョブ削除処理は、削除処理手段１７ｄによって行われる処理であり、判別手段１７ｃによって判別された重大エラーと関連性のある未実行の印刷ジョブが、再起動後に再開されないように該当する印刷ジョブを複製ジョブ記憶部１６ａから削除し、再起動後に、複製ジョブ記憶部１６ａに記憶された重大エラーと関連性の無い印刷ジョブのみを記憶部１６に移行する。
【００４４】
ここで、重大エラーの例を挙げて関連ジョブ除外処理の内容について説明する。
【００４５】
（エラー例１）
重大エラーとして、印刷部１３のインクジェットヘッドのシアン（Ｃ）に吐出不良の不具合が発生した場合、印刷時にインクジェットヘッドのシアン（Ｃ）を使用する印刷ジョブは削除され、インクジェットヘッドのシアン（Ｃ）を使用しない印刷ジョブについては再起動後に再開ジョブとして選択される。
【００４６】
（エラー例２）
重大エラーとして、給紙部１１の外部給紙台１１ａの外部給紙ローラ１１ｂを駆動する駆動モータが故障した場合、外部給紙台１１ａから供給される用紙Ｐを使用する印刷ジョブは除外され、内部給紙台１１ｃから供給される用紙Ｐを印刷媒体として使用する印刷ジョブについては再起動後に再開ジョブとして実行される。
【００４７】
（エラー例３）
重大エラーとして、反転部１５のスイッチバック部１５ｂに用紙Ｐを搬送する反転ローラ１５ａを駆動する駆動モータが故障した場合、両面印刷のようなスイッチバック部１５ｂを使う印刷ジョブは削除され、スイッチバック部１５ｂを使用しない印刷ジョブについては、再起動後に再開ジョブとして実行される。
【００４８】
（エラー例４）
重大エラーとして、本装置と接続される図示しない後処理装置（例えばステープル処理部やパンチ処理部を備えた装置）の搬送先を切り替える切替手段を駆動する駆動モータが故障した場合、後処理装置を使用する印刷ジョブは削除され、後処理装置を使用しない印刷ジョブについては、再起動後に再開ジョブとして実行される。
【００４９】
（エラー例５）
重大エラーとして、画像読取部１９のスキャナ機能の不具合（ＣＣＤイメージセンサの故障）が発生した場合、画像読取部１９によるスキャナ機能を使用する印刷ジョブは削除され、画像読取部１９によるスキャナ機能を使用していない印刷ジョブについては、再起動後に再開ジョブとして実行される。
【００５０】
＜通知処理＞
通知処理は、通知手段１７ｆによって行われる処理であり、再起動後に再開ジョブの対象とならずに削除された印刷ジョブを出力したユーザに対し、再開ジョブの対象から削除された旨の通知を行うための通知情報を設定表示部１８や印刷ジョブの入力元となる外部端末に出力する。
【００５１】
通知内容としては、例えば図３に示すように、設定表示部１８の表示パネル上に、ジョブ特定情報（ジョブ名、オーナー名）と、「重大エラーと関連性があるため印刷ジョブを削除しました。」のような表示をする。
【００５２】
＜印刷再開処理＞
印刷再開処理は、ジョブ処理手段１７ｅによって行われる処理であり、再起動後に複製ジョブ記憶部１６ａから記憶部１６に移行された重大エラーと関連性の無い印刷ジョブについて順次印刷処理を再開する。
【００５３】
よって、上述したエラー例１の重大エラーが発生した場合は、複製ジョブ記憶部１６ａに記憶された未実行の印刷ジョブは、インクジェットヘッドのシアン（Ｃ）を使用しない印刷条件の印刷ジョブのみとなっており、これらの印刷ジョブのみ処理が再開される。
【００５４】
また、上述したエラー例２の重大エラーが発生した場合は、複製ジョブ記憶部１６ａに記憶された未実行の印刷ジョブは、給紙部１１の外部給紙台１１ａを使用しない印刷条件の印刷ジョブのみとなっており、これらの印刷ジョブのみ処理が再開される。
【００５５】
また、上述したエラー例３の重大エラーが発生した場合は、複製ジョブ記憶部１６ａに記憶された未実行の印刷ジョブは、スイッチバック部１５ｂを使用しない印刷条件の印刷ジョブのみとなっており、これらの印刷ジョブのみ処理が再開される。
【００５６】
また、上述したエラー例４の重大エラーが発生した場合は、複製ジョブ記憶部１６ａに記憶された未実行の印刷ジョブは、後処理装置を使用しない印刷条件の印刷ジョブのみとなっており、これらの印刷ジョブのみ処理が再開される。
【００５７】
また、上述したエラー例５の重大エラーが発生した場合は、複製ジョブ記憶部１６ａに記憶された未実行の印刷ジョブは、画像読取部１９を使用しない印刷条件の印刷ジョブのみとなっており、これらの印刷ジョブのみ処理が再開される。
【００５８】
以上のように、本発明の画像形成装置１では、印刷ジョブが入力されたときに、印刷ジョブを複製して複製ジョブ記憶部１６ａに退避保存しておき、重大エラーが発生したときに、複製ジョブ記憶部１６ａに記憶した複製印刷ジョブと重大エラーとの関連性の有無を判別して、重大エラーと関連性の無い印刷ジョブのみが電源再投入後に実行されるようにエラー回避制御を行っている。そのため、重大エラーが発生して主電源のオフ／オン操作による再起動がなされたとしても、重大エラーと関係の無い印刷ジョブが消去されることがない。よって、印刷処理が再開したときに、従来装置のように再度印刷ジョブを送信（又は設定）する必要がなく、ユーザの手間を煩わせることがなくなる。
【００５９】
設定表示部１８は、例えば操作キーや表示／入力パネル等で構成される入力機器であり、筐体外側に設けられている。設定表示部１８は、ユーザによる印刷ジョブの設定の他、画像形成装置１に必要な各種設定情報を設定する際に所定操作されると、その操作信号が制御部１７に出力される。また、設定表示部１８は、装置起動中（例えば印刷ジョブ実行中）にエラーが発生したときにその旨の表示を行ってユーザに報知を行う。
【００６０】
さらに、設定表示部１８は、制御部１７から印刷ジョブが再開ジョブの対象から削除されたことの通知を行うための通知情報が入力されると、例えば表示画面上に図３に示すような表示通知を行う。
【００６１】
このように、設定表示部１８は、通常の印刷処理時では印刷処理に関する各種設定を行うための設定表示部として機能し、重大エラーが発生したときは、重大エラーと関連性のある印刷ジョブを出力したユーザに対する通知や、重大エラー以外のエラーに関する各種通知を行うための報知部（表示部）として機能する。
【００６２】
なお、本実施例では、ユーザに対して再開ジョブの対象から削除された旨の通知を行う報知部として設定表示部１８の表示領域を利用する構成であるが、重大エラーが発生したときに通知される表示内容のみを行う報知用機器を、設定表示部１８とは別に設けてもよい。また、設定表示部１８に、例えば音声メッセージや警報を発報する鳴動機能を具備させ、ユーザに対する報知処理として表示通知に加えて鳴動通知を付加してもよい。
【００６３】
画像読取部１９は、原稿を照射する光を発する光源や、原稿からの反射光を受光して光電変換するＣＣＤイメージセンサ等を有し、原稿の画像を光学的に読み取って画像データを生成する。画像読取部１９は、コピー機能及びスキャナ機能の使用時において、原稿の読み取りを行う。
【００６４】
［処理動作について］
次に、上述した画像形成装置１における一連の処理動作について、図４を参照しながら説明する。ここでは、重大エラーとしてインクジェットヘッドのシアン（Ｃ）に吐出不良が発生した場合とし、関連ジョブ削除処理において重大エラーと関連性のある印刷ジョブを消去したときの動作例である。
【００６５】
図４に示すように、処理動作を実施するにあたり、まず複数の印刷ジョブを受信すると（ＳＴ１）、印刷ジョブが入力したタイミングでジョブを複製し、この複製した複製印刷ジョブを複製ジョブ記憶部１６ａに記憶させる（ＳＴ２）。
【００６６】
次に、印刷ジョブの印刷条件に従って印刷処理を実行する（ＳＴ３）。印刷処理が実施されると、ジョブ実行中にエラーが発生したか否かの判断を行う（ＳＴ４）。
【００６７】
このとき、印刷ジョブ実行中にエラーが発生した場合は（ＳＴ４−Ｙｅｓ）、次に、このエラーが重大エラーであるか否かの判断を行う（ＳＴ６）。重大エラーか否かの判断は、装置内の各所に設けられたエラー検知部（図示せず）から送られるエラーコード信号が、予め記憶部１６に用意された重大エラー関連情報（重大エラーコード表）のいずれかの項目に該当するか否かにより判別する。
一方、印刷ジョブ実行中にエラーが発生していない場合は（ＳＴ４−Ｎｏ）、実行中の印刷ジョブが終了したか否かを判断する（ＳＴ５）。
【００６８】
ＳＴ５において、実行中の印刷ジョブが終了したときは（ＳＴ５−Ｙｅｓ）、図中矢印（Ａ）へと進み、次の印刷ジョブがあるか否かを判断する（ＳＴ１７）。
一方、実行中の印刷ジョブが終了していない場合は（ＳＴ５−Ｎｏ）、印刷ジョブ実行中にエラーが発生したか否かを判断するため、再度ＳＴ４へ戻る。
【００６９】
ＳＴ６において、発生したエラーが重大エラーに該当しない場合は（ＳＴ６−Ｎｏ）、次にそのエラーがエラー解除処理の必要なエラーか否かを判断する（ＳＴ７）。
例えばインクが少なくなっていることを示すエラーの場合等、エラー解除処理が必要でない場合には（ＳＴ７−Ｎｏ）、設定表示部１８にエラー情報を示す通知処理を行い（ＳＴ８）、図中矢印（Ｂ）へと進み、次の印刷ジョブがあるか否かを判断する（ＳＴ１７）。
【００７０】
例えば、紙無しエラーや、紙詰まりエラー等、エラー解除処理が必要な場合には（ＳＴ７−Ｙｅｓ）、設定表示部１８にエラー解除処理を促す通知処理を行った後（ＳＴ９）、エラー解除されたか否かの判断を行う（ＳＴ１０）。エラー解除処理が実行されると（ＳＴ１０−Ｙｅｓ）、図中矢印（Ｂ）へと進み、次の印刷ジョブがあるか否かを判断する（ＳＴ１７）。また、エラー解除されていないと判断されたときは（ＳＴ１０−Ｎｏ）、再度ＳＴ９に戻ってエラー解除通知を継続する。エラー解除処理を促す通知処理は、エラー解除が実行されるまで継続して行われることになる。
【００７１】
ＳＴ６において、発生したエラーが重大エラーであった場合は（ＳＴ６−Ｙｅｓ）、複製ジョブ記憶部１６ａに記憶された未実行の複製印刷ジョブの印刷条件と、重大エラーとの関連性の有無を判別する（ＳＴ１１）。今回の例では、重大エラーがインクジェットヘッドのシアン（Ｃ）の吐出不良であるため、印刷条件が印刷時にシアンを使用する印刷ジョブであるか否かの判別を行う。
【００７２】
前述のように重大エラーに分類されるエラーコードは予め選定されており、重大エラーに対応する各エラーコードに対して、関連付けられる印刷条件（上記の例であればシアンを使用する印刷条件であり、シアン単色印刷、フルカラー印刷が該当する）も予め設定可能である。これらの対応関係を定めた重大エラー関連情報を記憶部１６に記録しておき、制御部１７は重大エラーのエラー種別と未実行の各複製印刷ジョブの印刷条件との対応関係について重大エラー関連情報を照合し、重大エラーとの関連性について判断する。
【００７３】
ＳＴ１１において、重大エラーに関連性がある場合は（ＳＴ１１−Ｙｅｓ）、判別対象の印刷ジョブを再開ジョブの対象から削除する（ＳＴ１２）。そして、複製ジョブ記憶部１６ａに記憶された未実行の印刷ジョブ全てに対して重大エラーとの関連性の有無を判別したか否かの判断を行う（ＳＴ１３）。また、ＳＴ１２では、設定表示部１８に対して、図３に示すように、ジョブ特定情報（ジョブ名、オーナー名）と「重大エラーと関連性のあるジョブを削除した旨」の表示を行い、ジョブが削除されたことを通知する。
一方、重大エラーに関連性が無い場合は（ＳＴ１１−Ｎｏ）、ＳＴ１３へと進む。
【００７４】
ＳＴ１３において、複製ジョブ記憶部１６ａに記憶される未実行の印刷ジョブ全てに対して重大エラーとの関連性の有無を判別したと判断した場合は（ＳＴ１３−Ｙｅｓ）、複製ジョブ記憶部１６ａに記憶された複製印刷ジョブの中から再開ジョブの対象となる印刷ジョブが選別された状態となる。
【００７５】
そして、未実行の印刷ジョブ全てに対して重大エラーとの関連性の有無が判断されると、図５に例示するように、ユーザに対して設定表示部１８を通して重大エラーが発生した旨の報知と、ユーザによる供給切替部２０の操作によって電源をオフした後、再度オンする操作（再起動操作）を促進するための再起動促進表示とを行う（ＳＴ１４）。その後、再起動操作がなされたか否かの判断を行う（ＳＴ１５）。
【００７６】
一方、複製ジョブ記憶部１６ａに記憶された未実行の印刷ジョブ全てに対して重大エラーとの関連性の有無を判別したと判断していない場合は（ＳＴ１３−Ｎｏ）、再度ＳＴ１１へと戻り、全ての未実行の印刷ジョブの判別が終わるまでこれを繰り返す。
なお、エラーが発生してからＳＴ１３の判断が「Ｙｅｓ」となるまでの時間は、エラー種別の自動的な判別とジョブの消去に要する時間だけであり、非常に短い時間となる。
【００７７】
ＳＴ１５において、再起動操作がなされたと判断した場合は（ＳＴ１５−Ｙｅｓ）、複製ジョブ記憶部１６ａに記憶された再開ジョブによる印刷処理を再開し（ＳＴ１６）、その後、次に実行する印刷ジョブがあるか否かの判断を行う（ＳＴ１７）。
一方、再起動操作がなされていないと判断した場合は（ＳＴ１５−Ｎｏ）、再度ＳＴ１４へ戻る。これにより、再起動操作が行われるまでの間は、重大エラーの報知と再起動促進表示が継続されることになる。
【００７８】
ＳＴ１７において、次に実行する印刷ジョブがある場合は（ＳＴ１７−Ｙｅｓ）、図中矢印（Ｃ）へと進み、ＳＴ３の処理に戻って次の印刷ジョブを実行する。
一方、次に実行する印刷ジョブがない場合は（ＳＴ１７−Ｎｏ）、処理を終了する。
【００７９】
なお、上述した処理動作では、重大エラーとしてインクジェットヘッドのシアン（Ｃ）に発生した吐出不良の例で説明したが、発生した重大エラーの種類によって再開ジョブの対象から削除される印刷ジョブも当然異なる。
【００８０】
以上説明したように、上述した画像形成装置１は、制御部１７は、印刷ジョブが入力されたときに、印刷ジョブを複製して複製ジョブ記憶部１６ａに記憶させ、重大エラーが発生したときに、複製ジョブ記憶部１６ａに記憶した複製印刷ジョブが重大エラーと関連性があるか否かを判別する。そして、重大エラーに関連すると判別した印刷ジョブを再開ジョブの対象から削除し、再起動後に再開対象となる重大エラーと関連性の無い印刷ジョブのみを実行する。
【００８１】
これにより、重大エラーが発生して主電源のオフ／オン操作による再起動がなされたとしても、重大エラーと関係の無い印刷ジョブが消去されず、印刷処理が再開したときに、従来装置のように再度印刷ジョブを設定する必要がないため、ユーザの手間を煩わせることがなくなるという効果を奏することができる。
【００８２】
さらに、重大エラーと関連性のある印刷ジョブを保存した状態で再開対象としないように該当する印刷ジョブを削除しているため、重大エラーが解消される前に印刷ジョブを再開したとしても、重大エラーを原因として再度再起動が要求されることなく印刷処理を再開することができる。
【００８３】
また、重大エラーと関連性のある印刷ジョブが再開対象とならないように消去された場合にこの内容がユーザに通知されるため、ユーザは重大エラーと関連性のある印刷ジョブの場合のみ印刷ジョブを再送信すればよく、従来装置のように重大エラーが発生した都度、印刷ジョブを送信する必要がなくなる。
【符号の説明】
【００８４】
１…画像形成装置
１１…給紙部
１２…搬送部
１３…印刷部
１４…排紙部
１５…反転部
１６…記憶部（１６ａ…複製ジョブ記憶部）
１７…制御部（１７ａ…ジョブ複製手段、１７ｂ…エラー特定手段、１７ｃ…判別手段、１７ｄ…削除処理手段、１７ｅ…ジョブ処理手段、１７ｆ…通知手段）
１８…設定表示部
１９…画像読取部
２０…供給切替部
Ｐ…用紙
【図１】
2017030336.tif 000003
【図２】
2017030336.tif 000004
【図３】
2017030336.tif 000005
【図４】
2017030336.tif 000006
【図５】
2017030336.tif 000007